(57)【要約】【課題】洗濯物の片寄りを防止することができ、洗濯物を効率的に乾燥させることができる物干し器具を提供することを課題とする。【解決手段】物干し器具１において、ベルト部１１は、ベルト１１１、１１２が矢視Ｐ方向に重ねられた二重構造となっている。ベルト１１２は、両端部を含む複数個所がハトメ１１３によってベルト１１１に接合されている。ハトメ１１３、あるいはベルト１１１、１１２の間にハンガー２０の柄を通すことによって、ハンガー２０をベルト部１１に掛けることができる。また、ベルト１１１、１１２の間に洗濯物を通すことによって、洗濯物をベルト部１１に直接掛けることができる。物干し器具１に掛けられた洗濯物やハンガー２０は、ハトメ１１３によって移動が制限される。ベルト部１１に直接掛けられた洗濯物は、内側の面同士の接触が防止されるため、効率的に乾燥される。【選択図】図１
2010142556.tif 000002
【特許請求の範囲】
【請求項１】
第１ベルト部材と、前記第１ベルト部材に重なった状態で配置され、複数個所が前記第１ベルト部材に接合された第２ベルト部材とを有するベルト部と、
前記ベルト部の両端部にそれぞれ設けられ、前記ベルト部を固定するための固定部と、
を備えることを特徴とする物干し器具。
【請求項２】
請求項１に記載の物干し器具において、
前記第１ベルト部材と前記第２ベルト部材とは、縫製により接合されることを特徴とする物干し器具。
【請求項３】
請求項１に記載の物干し器具において、
前記第１ベルト部材と前記第２ベルト部材とは、ハトメにより接合されることを特徴とする物干し器具。
【請求項４】
請求項１ないし請求項３のいずれかに記載の物干し器具において、
前記第１ベルト部材の幅と前記第２ベルト部材の幅とが、一致しないことを特徴とする物干し器具。
【請求項５】
請求項１ないし請求項４のいずれかに記載の物干し器具において、
前記ベルト部は、
前記第１ベルト部材と前記第２ベルト部材とが接合される第１接合部と、
前記第１接合部に隣接する第２接合部と、
を含み、
前記第１接合部と前記第２接合部との間において、前記第１ベルト部材と前記第２ベルト部材との間に空隙が形成されることを特徴とする物干し器具。
【請求項６】
請求項１ないし請求項５のいずれかに記載の物干し器具において、
前記第１ベルト部材および前記第２ベルト部材の少なくとも一方が、ナイロン製であることを特徴とする物干し器具。
【請求項７】
請求項１ないし請求項６のいずれかに記載の物干し器具において、
前記第１ベルト部材および前記第２ベルト部材の少なくとも一方が、伸縮性を有する素材で形成されていることを特徴とする物干し器具。
【請求項８】
請求項１ないし請求項７のいずれかに記載の物干し器具において、
前記第１ベルト部材および前記第２ベルト部材の少なくとも一方が、メッシュ状の素材で形成されていることを特徴とする物干し器具。
【請求項９】
請求項１ないし請求項８のいずれかに記載の物干し器具において、さらに、
前記ベルト部の長さを調節するベルト調節具、
を備えることを特徴とする物干し器具。
【請求項１０】
請求項１ないし請求項９のいずれかに記載の物干し器具において、
前記固定部は、前記第１ベルト部材に取り付けられたリング状の金具であることを特徴とする物干し器具。
【請求項１１】
請求項１ないし請求項９のいずれかに記載の物干し器具において、
前記固定部は、前記第１ベルト部材により形成されていることを特徴とする物干し器具。
【請求項１２】
請求項１ないし請求項９のいずれかに記載の物干し器具において、
挿入部と、前記挿入部が差し込まれる基部とを有するバックルと、
一端に前記挿入部が取り付けられ、他端に前記基部が取り付けられており、前記基部が前記挿入部に差し込まれることによりリング状の形状となる固定用ベルトと、
を含むことを特徴とする物干し器具。
【発明の詳細な説明】
【技術分野】
【０００１】
本発明は、洗濯物を乾燥させる際などに用いられる物干し器具に関する。
【背景技術】
【０００２】
マンションや一戸建ての住宅などにおいて洗濯物を乾燥させる場合、洗濯物や、洗濯物が吊り下げられたハンガーなどが、ベランダなどの屋外に設置された物干し竿に掛けられる。しかし、雨天の場合、あるいは旅行先の場合には、室内で洗濯物を乾燥させる必要がある。このような場合、洗濯物やハンガーなどは、室内に架け渡されたロープに掛けられる。
【０００３】
室内に架け渡されたロープは、ロープに掛けられた洗濯物などの重みによってＶ字状の形状となる。この結果、ロープに掛けられた洗濯物などが片寄ってしまい、洗濯物の乾燥に時間がかかるという問題があった。また、ロープに掛けられた洗濯物が片寄った場合、洗濯物にしわが寄るという問題があった。そこで、特許文献１には、洗濯物の移動を防止する物干しロープが開示されている。
【０００４】
特許文献１に開示されている物干しロープは、二本のロープと、二本のロープの両端に取り付けられたフックなどの止め具と、二本のロープを接近させるための複数の接合具とを有している。接合具は、樹脂製の二本のパイプを並列に接着させた構造である。各ロープが接合具を構成するパイプの中を通ることにより、二本のロープは接近した状態を維持している。接合具は、ロープに沿ってスライドさせることができる。
【０００５】
【特許文献１】実開昭５８−１５４７８０号公報
【発明の開示】
【発明が解決しようとする課題】
【０００６】
上記特許文献１に開示されている物干しロープに洗濯物を掛ける場合、一方のロープに洗濯物を掛けて、一方のロープに掛けられた洗濯物が二本のロープの間に挟まれた状態にする。そして、接合具を洗濯物の近傍にスライドさせることで洗濯物を固定する。
【０００７】
しかしながら、接合具がロープに沿って移動することができるため、特許文献１に開示されている物干しロープに掛けられた洗濯物は、完全に固定されない。したがって、特許文献１に開示されている物干しロープは、ロープに掛けられた洗濯物やハンガーなどの片寄りを防ぐことが難しいという問題があった。
【０００８】
そこで、本発明は前記問題点に鑑み、洗濯物の片寄りを防止することができ、洗濯物を効率的に乾燥させることができる物干し器具を提供することを目的とする。
【課題を解決するための手段】
【０００９】
上記課題を解決するため、請求項１記載の発明は、物干し器具であって、第１ベルト部材と、前記第１ベルト部材に重なった状態で配置され、複数個所が前記第１ベルト部材に接合された第２ベルト部材とを有するベルト部と、前記ベルト部の両端部にそれぞれ設けられ、前記ベルト部を固定するための固定部と、を備えることを特徴とする。
【００１０】
請求項２記載の発明は、請求項１に記載の物干し器具において、前記第１ベルト部材と前記第２ベルト部材とは、縫製により接合されることを特徴とする。
【００１１】
請求項３記載の発明は、請求項１に記載の物干し器具において、前記第１ベルト部材と前記第２ベルト部材とは、ハトメにより接合されることを特徴とする。
【００１２】
請求項４記載の発明は、請求項１ないし請求項３のいずれかに記載の物干し器具において、前記第１ベルト部材の幅と前記第２ベルト部材の幅とが、一致しないことを特徴とする。
【００１３】
請求項５記載の発明は、請求項１ないし請求項４のいずれかに記載の物干し器具において、前記ベルト部は、前記第１ベルト部材と前記第２ベルト部材とが接合される第１接合部と、前記第１接合部に隣接する第２接合部と、を含み、前記第１接合部と前記第２接合部との間において、前記第１ベルト部材と前記第２ベルト部材との間に空隙が形成されることを特徴とする。
【００１４】
請求項６記載の発明は、請求項１ないし請求項５のいずれかに記載の物干し器具において、前記第１ベルト部材および前記第２ベルト部材の少なくとも一方が、ナイロン製であることを特徴とする。
【００１５】
請求項７記載の発明は、請求項１ないし請求項６のいずれかに記載の物干し器具において、前記第１ベルト部材および前記第２ベルト部材の少なくとも一方が、伸縮性を有する素材で形成されていることを特徴とする。
【００１６】
請求項８記載の発明は、請求項１ないし請求項７のいずれかに記載の物干し器具において、前記第１ベルト部材および前記第２ベルト部材の少なくとも一方が、メッシュ状の素材で形成されていることを特徴とする。
【００１７】
請求項９記載の発明は、請求項１ないし請求項８のいずれかに記載の物干し器具において、さらに、前記ベルト部の長さを調節するベルト調節具、を備えることを特徴とする。
【００１８】
請求項１０記載の発明は、請求項１ないし請求項９のいずれかに記載の物干し器具において、前記固定部は、前記第１ベルト部材に取り付けられたリング状の金具であることを特徴とする。
【００１９】
請求項１１記載の発明は、請求項１ないし請求項９のいずれかに記載の物干し器具において、前記固定部は、前記第１ベルト部材により形成されていることを特徴とする。
【００２０】
請求項１２記載の発明は、請求項１ないし請求項９のいずれかに記載の物干し器具において、挿入部と、前記挿入部が差し込まれる基部とを有するバックルと、一端に前記挿入部が取り付けられ、他端に前記基部が取り付けられており、前記基部が前記挿入部に差し込まれることによりリング状の形状となる固定用ベルトと、を含むことを特徴とする。
【発明の効果】
【００２１】
本発明に係る物干し器具の使用時において、洗濯物やハンガーなどは、第１ベルト部材と第２ベルト部材との間に挟まれるようにしてベルト部に掛けられる。洗濯物やハンガーの移動は、第１ベルト部材と第２ベルト部材とが接合されている個所で制限される。このため、本発明に係る物干し器具は、ベルト部に掛けられた洗濯物などの片寄りを防止でき、洗濯物を効率よく乾燥させることができる。
【００２２】
また、洗濯物が帯状のベルト部に掛けられた場合、ベルト部に掛けられた洗濯物の内側の面同士の間における通気性を保つことができる。したがって、本発明に係る物干し器具は、ベルト部に直接掛けられた洗濯物をさらに効率よく乾燥させることができる。
【発明を実施するための最良の形態】
【００２３】
｛物干し器具１の全体構造｝
以下、図面を参照しつつ本発明の実施の形態について説明する。図１は、本発明の実施の形態に係る物干し器具１の斜視図である。図２は、図１に示す領域Ａ付近における物干し器具１の拡大図である。図３は、図１に示す領域Ｂ付近における物干し器具１の拡大図である。
【００２４】
物干し器具１は、ベルト部１１と、掛け具１２、１２と、ベルト調節具１３、１３とを備えている。ベルト部１１は、物干し器具１の長軸方向に対応する矢視Ｐ方向に細長い形状である。このため、図１において、ベルト部１１の中間部の表示を一部省略している。
【００２５】
なお、物干し器具１には絶対的な上下方向は存在しないが、以下の説明において、便宜的に、ベルト１１に垂直な矢視Ｑ方向を上方向とし、矢視Ｑ方向の反対向きを下方向とする。
【００２６】
ベルト部１１には、洗濯物やハンガー２０などが掛けられる。ベルト部１１は、ベルト１１１、１１２と、ハトメ１１３、１１３、・・・とを有している。
【００２７】
ベルト１１１には、掛け具１２、１２と、ベルト調節具１３、１３とが取り付けられる。ベルト１１２は、ベルト１１１よりも長さが短く、ベルト１１１の中間部に重なるようにして配置される。つまり、物干し器具１では、図１、図３に示すように、ベルトが二重構造となっている。ベルト１１２の両端部を含む複数個所が、筒型の形状をしたハトメ１１３、１１３・・・によってベルト１１１にそれぞれ接合されている。なお、ベルト１１１、１１２の接合については後述する。
【００２８】
ベルト１１１、１１２には、折り畳んだり、丸めたりすることができる程度の柔軟性と、洗濯物やハンガー２０などが掛けられたときに切断されることのない強度とを有する素材が用いられる。ベルト１１１、１１２の素材として、ポリプロピレンや、吸水性のあるナイロンなどを使用することができる。
【００２９】
掛け具１２、１２は、物干し器具１を室内やベランダなどの壁面に固定する金具であり、カラビナと呼ばれるＤ字型の形状をしたリングである。掛け具１２には、内側に開閉可能なゲート部１２ａが設けられている。ゲート部１２ａを開閉させることによって、室内の壁面などに予め設けられたフックなどに掛け具１２を容易に固定することができる。
【００３０】
ベルト調節具１３、１３は、矢視Ｐ方向に細長い矩形状のリングである。ベルト調節具１３の内部に、ベルト部１１の幅方向に延びる交差棒１３ｂ、１３ｃが設けられている。ベルト調節具１３の内部をベルト１１１が縫うようにして通されている。ベルト調節具１３を用いて、掛け具１２とベルト調節具１３の間におけるベルト１１１の長さを調節することにより、ベルト部１１全体の長さを調節することができる。
【００３１】
｛ベルト１１１、１１２の接合｝
以下、ベルト１１１、１１２の接合について説明する。最初に、ハトメ１１３、１１３・・・を取り付けるための複数の取付孔が、長軸方向に沿ってベルト１１１、１１２にそれぞれ形成される。図１、図３に示す物干し器具１において、ベルト１１１、１１２に形成される取付孔の間隔は、それぞれ一定である。ただし、ベルト１１２に形成される取付孔の間隔は、ベルト１１１に形成される取付孔の間隔より大きい。
【００３２】
なお、ベルト１１１、１１２に形成される取付孔の間隔は、一定でなくもよい。後述するように、ベルト部１１には洗濯物が直接掛けられるが、洗濯物のサイズに対応させるために、取付孔を、様々な間隔でベルト１１１、１１２にそれぞれ形成してもよい。また、大小二つの間隔が繰り返されるように、取付孔を形成してもよい。
【００３３】
そして、ベルト１１１、１１２のそれぞれに形成された取付孔の位置合わせを行う。位置合わせが行われたベルト１１１、１１２の取付孔にハトメ１１３が打ち込まれることで、ベルト１１１、１１２が接合される。このようにして、ベルト１１１、１１２の複数個所が接合される。この結果、図１、図３に示すように、ベルト部１１にハトメ１１３、１１３・・・が取り付けられた箇所を除いて、ベルト１１１、１１２の間に隙間が生じる。これにより、ベルト１１１、１１２の間に洗濯物やハンガー２０の柄などを通すことが容易になる。
【００３４】
ハトメ１１３は、金属製でもよいが、樹脂製であることが望ましい。金属製のハトメ１１３と洗濯物とが接触した場合、洗濯物に金属錆びが付着するおそれがあるためである。また、ベルト１１１、１１２を、縫製により接合してもよい。縫製により接合する場合、物干し器具１の部品点数を削減することができる。
【００３５】
なお、図２に示すハトメ１１３は、上側のベルト１１１と下側のベルト１１１とを接合するためでなく、ハンガー２０の柄などを通すために形成された貫通孔を補強するためにベルト１１１に取り付けられている。
【００３６】
｛掛け具１２およびベルト調整具１３の取り付け｝
以下、ベルト１１１に対する掛け具１２とベルト調節具１３の取り付けについて、図２を参照しながら説明する。
【００３７】
まず、ベルト調節具１３にベルト１１１の端部１１１ａが通される。具体的には、ベルト調節具１３の端部１３ａと交差棒１３ｂとの間に、ベルト１１１の端部１１１ａが下側から通される。さらに、ベルト１１１の端部１１１ａが交差棒１３ｂ、１３ｃの間、交差棒１３ｃと端部１３ｄの間を通される。
【００３８】
ベルト調節具１３を通過した後に、ベルト１１１の端部１１１ａは、掛け具１２に通され、矢視Ｐ方向と反対側の方向に折り返される。そして、ベルト１１１の端部１１１ａが、上述と逆の順序でベルト調節具１３に通されることにより、掛け具１２とベルト調節具１３とが、ベルト１１１に取り付けられる。したがって、図１、図２では、掛け具１２とベルト調節具１３との間において、上側のベルト１１１と下側のベルト１１１とは、接合されておらず、単に密着した状態である。
【００３９】
なお、ベルト１１１、１１２の両端部をそれぞれ接合することにより、ベルト部１１全体をベルト１１１、１１２による二重構造としてもよい。この場合、ベルト１１１、１１２は、重なった状態で一体的に掛け具１２、ベルト調節具１３に通される。図１に示す物干し器具１では、ベルト部１１の長さをベルト１１２の長さよりも短くできないのに対し、ベルト部１１全体を二重構造とした物干し器具１は、ベルト１１２の長さの制限を受けることなく、ベルト部１１全体の長さを調節することができる。
【００４０】
｛物干し器具１の使用方法｝
以下、本実施の形態に係る物干し器具１の使用方法について説明する。
【００４１】
まず、ユーザが、物干し器具１を室内やベランダなどに設置する。具体的には、ユーザが、予め室内、ベランダなどの壁面に設けられているフックに掛け具１２、１２を掛け、物干し器具１を室内に架け渡す。そして、ベルト調節具１３を用いてベルト部１１の長さを調節し、ベルト部１１を弛みのない状態にする。また、物干し器具１を設置する際に、ベルト部１１のベルト面が床面に対向した状態となるようにする。この理由については後述する。
【００４２】
図１に示す領域Ａにおけるベルト調節具１３を用いてベルト部１１の長さを調節する場合、ユーザは、ベルト１１１の端部１１１ａを矢視Ｐ方向の反対向きに引っ張ることにより、ベルト部１１を短くすることができる。また、ユーザは、ベルト１１１の中間部（ベルト調節具１３、１３の間の部分）を矢視Ｐ方向の反対向きに引っ張ることにより、ベルト部１１を延ばすことができる。
【００４３】
次に、弛みのないように長さが調節されたベルト部１１に、洗濯物やハンガー２０を掛けていく。以下、ベルト部１１にハンガー２０を掛ける場合、ベルト部１１に洗濯物を直接掛ける場合に分けて説明する。
【００４４】
まず、物干し器具１にハンガー２０を掛ける場合について説明する。図４、図５は、Ｔシャツ２１を吊り下げたハンガー２０を物干し器具１に掛けた状態を示す図である。なお、図４、図５に示す物干し器具１は、室内、ベランダなどに既に設置された状態である。
【００４５】
図４に示すように、Ｔシャツ２１を吊り下げたハンガー２０の柄を、ベルト１１１、１１２の間の隙間に通すことで、ハンガー２０をベルト部１１に掛けることができる。ハトメ１１３、１１３・・・がベルト部１１に対して固定されているため、図４に示すように掛けられたハンガー２０の移動は、ハトメ１１３、１１３の間に制限される。つまり、従来の物干しロープと比較して、物干し器具１は、ハンガー２０の移動を一定範囲に確実に制限することができる。
【００４６】
図５に示すように、ハンガー２０の柄をハトメ１１３に通すことによって、ハンガー２０をベルト部１１に掛けることができる。この場合、ベルト１１１、１１２の間にハンガー２０の柄を通す場合よりも、ハンガー２０の移動がさらに制限される。
【００４７】
なお、ベルト１１１、１１２に、ハトメ１１３、１１３・・・を取り付けるための取付孔の他に、ハンガー２０の柄を通すための貫通孔を形成してもよい。この場合、さらに多くのハンガーを、移動を制限した状態でベルト部１１に掛けることができる。貫通孔を形成した場合、貫通孔を補強するためにハトメ１１３を取り付けることが望ましい。たとえば、図２に示すハトメ１１３は、ハンガー２０の柄を通すための貫通孔の補強のために取り付けられたものである。これにより、貫通孔のサイズがハンガー２０の重みによって拡大することを防止できる。
【００４８】
このように、ハトメ１１３、あるいはベルト１１１、１１２の間にハンガー２０の柄を通すことによって、ハンガー２０の移動を制限できるため、ハンガー２０の片寄りを確実に防ぐことができる。
【００４９】
次に、ベルト部１１に洗濯物を直接掛ける場合について説明する。図６は、物干し器具１のベルト部１１に、タオル２２を直接掛けた状態を示す図である。図６において、物干し器具１は、室内、ベランダなどに既に設置された状態であり、ベルト部１１のベルト面は、床面に対向した状態である。なお、タオル２２の他に、ハンガーに吊り下げることができないハンカチ、靴下、下着などの小物を、物干し器具１に直接掛けることができる。
【００５０】
図６に示すように、タオル２２は、ベルト１１１、１１２に挟まれた状態で、ベルト部１１に掛けられる。ベルト１１１、１１２の間に空隙が形成されているため、タオル２２を、ベルト１１１、１１２の間に容易に通すことができる。また、図１〜図８に示す物干し器具１において、ベルト１１１、１１２の幅は一致しているが、これに限られない。たとえば、ベルト１１２の幅をベルト１１１の幅より小さくしてもよい。これにより、ベルト１１１、１１２の間に洗濯物を通すことがさらに容易になる。
【００５１】
ベルト部１１に掛けられたタオル２２は、ベルト部１１の幅方向への移動が抑制される。これは、従来の物干しロープにタオル２２が掛けられる場合と比較して、タオル２２とベルト１１２との間の接触面積が大きくなり、タオル２２とベルト１１２との間に生じる摩擦力も大きくなるためである。これにより、タオル２２がベルト部１１から落下することを防止できる。
【００５２】
ベルト部１１に掛けられたタオル２２は、ベルト１１１、１１２を接合するハトメ１１３、１１３によって長軸方向への移動が制限される。したがって、物干し器具１は、風などによって洗濯物が片寄ることを防止することができる。
【００５３】
このように、ベルト１１１、１１２の間に洗濯物を通すようにしてタオル２２をベルト部１１に掛けることによって、タオル２２の落下、移動を防ぐことができる。また、ベルト部１１に掛けられたタオル２２を取り込む際には、ユーザはタオル２２を引っ張るだけでよい。ベルト部１１に洗濯物を掛ける際、あるいはベルト部１１に直接掛けられた洗濯物を取り込む際には、洗濯バサミを使う必要がない。このため、洗濯バサミを使用することが難しい高齢者、あるいは障害者でも、物干し器具１を用いて洗濯物を容易に干すことができる。
【００５４】
なお、ベルト１１１、１１２のいずれか一方に伸縮性のある素材を使用してもよい。これにより、ベルト１１１、１１２の間に通された洗濯物を上下から抑えることができるため、洗濯物の落下、片寄りをさらに防ぐことが可能となる。ベルト１１１、１１２のいずれか一方に伸縮性のある素材を使用した場合、ベルト１１１、１１２の間に空間が形成されなくてもよい。
【００５５】
また、ベルト１１１、１１２に、炭などの消臭機能を有する素材が編み込まれたナイロン、消臭剤を染み込ませたナイロンなどを用いてもよい。これにより、ベルト部１１に直接掛けられた洗濯物に対して、洗濯物の特有のにおいが付着することを防止することができる。ベルト１１１、１１２に防虫剤が染み込まれたナイロンを用いてもよい。物干し器具１に掛けられた洗濯物に、昆虫などが近寄ることを防止することができるため、洗濯物の虫食いを防ぐことができる。その他、ベルト１１１、１１２に抗菌機能を有する素材などが編み込まれたナイロンを用いてもよい。
【００５６】
ベルト部１１のベルト面が床面に対向した状態で物干し器具１を設置することにより、ベルト部１１に掛けられた洗濯物は、従来の物干しロープに掛けられた洗濯物と比較して乾燥が早くなる。この理由について説明する。
【００５７】
従来の物干しロープにタオル２２が掛けられた場合、タオル２２の内側の二つの面が接触する。これに対し、図６に示すように、ベルト部１１に掛けられたタオル２２の端部２２ａ、２２ｂの間には、ベルト部１１の幅に応じた空間が生じる。つまり、ベルト部１１に掛けられたタオル２２の内側の二つの面の接触が防止され、タオル２２の端部２２ａ、２２ｂの間の通気性を良好に保つことができる。したがって、従来の物干しロープに洗濯物を掛ける場合と比較して、物干し器具１は、ベルト部１１に直接掛けられた洗濯物を早く乾燥させることができる。
【００５８】
一方、図６に示すタオル２２において、ベルト１１１、１１２に挟まれた部分は、外気に触れることが少ないため、乾燥が遅れることが予想される。しかし、ベルト１１１、１１２にナイロンを用いた場合、タオル２２の水分は、ナイロンが有する吸水性によりベルト１１１、１１２へ浸透する。ベルト１１１、１１２の素材にナイロンを用いることにより、タオル２２のベルト１１１、１１２に挟まれた部分の乾燥が極端に遅くなることを防ぐことができる。
【００５９】
なお、ベルト１１１、１１２のいずれか一方の材質をメッシュ状の素材にすることで、タオル２２のベルト１１１、１１２に挟まれた部分の通気性を向上させることができる。これにより、タオル２２のベルト１１１、１１２に挟まれた部分についても、さらに効率よく乾燥させることができる。
【００６０】
これまで、物干し器具１を室内、あるいはベランダで使用する場合を例にして説明したが、物干し器具１は、旅行用、アウトドア用などとしても有用である。ベルト１１１、１１２に柔軟性のある素材を用いることにより、ベルト部１１を丸めて鞄、スーツケースなどに収納することができる。このため、物干し器具１を容易に持ち運ぶことができる。
【００６１】
物干し器具１をホテルや、アウトドアなどで使用する場合、ベルト部１１を水平に架け渡すことが難しいケースが多いと考えられる。しかし、物干し器具１が斜めに架け渡されても、洗濯物やハンガー２０の移動をハトメ１１３により確実に制限できる。従来の物干しロープは、斜めに架け渡した場合、接合部が移動するために洗濯物の片寄りを防ぐことが難しいのに対して、物干し器具１は、設置場所の制限を受けることが少なく、様々な場所に設置することができる。
【００６２】
また、洗濯物の物干し器具１が斜めに架け渡されていたとしても、ベルト部１１のベルト面が床面あるいは地面に対向していれば、ベルト部１１に直接掛けられた洗濯物の内側の面同士の接触を防ぐことができる。したがって、物干し器具１は、設置場所に関係なく、ベルト部１１に直接掛けられた洗濯物を効率よく乾燥させることができる。
【００６３】
以上説明したように、本実施の形態に係る物干し器具１は、ベルト１１１、１１２が二重に配置され、ベルト１１２の複数個所がベルト１１１に接合されている。このため、物干し器具１は、ベルト１１１、１１２の間に挟まれるようにして掛けられた洗濯物、ハンガーの移動を制限することができる。また、ベルト部１１に取り付けられたハトメ１１３、１１３・・・にハンガー２０の柄を通すことで、ハンガー２０の移動をさらに制限することができる。したがって、物干し器具１は、従来の物干しロープと比較して、洗濯物、ハンガーの片寄りを確実に防止でき、洗濯物を効率よく乾燥させることができる。
【００６４】
また、従来の物干しロープに洗濯物が掛けられた場合、洗濯物の内側の間隔が十分に確保されないために、洗濯物の内側同士が接触しやすい。一方、本実施の形態に係る物干し器具１では、従来の物干しロープと比較して大きな幅を有するベルト部１１に洗濯物が掛けられる。このため、洗濯物の内側の面同士の間には、ベルト部１１の幅に応じた空間が生じ、洗濯物の内側の面同士の接触が防止される。したがって、物干し器具１は、ベルト部１１に直接掛けられた洗濯物の内側でも通気性を確保でき、洗濯物を効率よく乾燥させることができる。
【００６５】
｛変形例｝
なお、上記実施の形態において、物干し器具１の両端に掛け具１２、１２としてカラビナを用いた構成について説明したが、これに限られない。たとえば、掛け具１２、１２を、図７に示すようなバックル１２２を用いた構成としてもよい。図７に示す物干し器具１において、掛け具１２は、ベルト１２１と、バックル１２２と、リング１２３とにより構成される。ベルト１２１の一端にはバックル１２２の挿入部１２２ａが取り付けられ、他端には基部１２２ｂが取り付けられている。挿入部１２２ａが基部１２２ｂに差し込まれることにより、ベルト１２１は、図７に示すような環状となる。リング１２３は、矩形型の形状であり、ベルト１１１とベルト１２１とを接続する。
【００６６】
バックル１２２を開閉させることで、ベランダの手すり、木の枝などの長尺物を環状となったベルト１２１の内部に通すことができる。このように、図７に示す物干し器具１を様々な場所に架け渡すことができる。また、バックル１２２を外すことでベルト１２１の両端が自由な状態になるため、図７に示す物干し器具１を、カラビナの内部に通すことができない室内の梁や、太い木の枝などを用いて架け渡すことができる。したがって、図７に示す物干し器具１は、掛け具１２にカラビナを用いた場合よりも、設置場所の制限を受けることが少なくなる。また、ベルト１２１と、ベランダの手すり、木の枝などとを接触するように物干し器具１を設置することによって、物干し器具１の設置場所を傷付けることがない。
【００６７】
また、図７に示す物干し器具１において、ベルト１２１の長さを調節する長さ調節具を、掛け具１２、１２に設けてもよい。これにより、ベランダの手すりや、木の枝などにベルト１２１を弛みのない状態で巻きつけることができ、物干し器具１を確実に固定することができる。
【００６８】
また、本実施の形態に係る物干し器具１は、掛け具１２、１２を取り外した状態でも、室内やベランダなどに架け渡すことができる。図８は、掛け具１２、１２を取り外した物干し器具１を示す図である。図８に示すように、ベルト１１１が輪となっている部分を、室内やベランダなどに予め設けられたフックなどに掛けることによって、物干し器具１を設置することができる。このように、掛け具１２、１２を取り外したとしても、ベルト１１１が物干し器具１の固定部として機能させることができる。また、物干し器具１の掛け具１２、１２として、カラビナではなく、フックなどを用いてもよい。
【００６９】
また、上記実施の形態において、ベルト１１２が一つである場合を例にして説明したが、これに限られない。図９は、複数のベルト１１２、１１２・・・を備える物干し器具１を示す図である。図９において、各ベルト１１２の両端が、ハトメ１１３によってベルト１１１に接合されている。図９に示す物干し器具１は、図１に示す物干し器具１と同様に洗濯物やハンガーを掛けることができるため、洗濯物やハンガー２０の片寄りを防止し、洗濯物を効率よく乾燥させることができる。
【００７０】
また、上記実施の形態において、ベルト１１１に掛け具１２、１２、ベルト調節具１３、１３が取り付けられる場合を例にして説明したが、これに限られない。たとえば、図１に示す領域Ａにおいて、掛け具１２、ベルト調節具１３をベルト１１２に取り付けてもよい。この場合、領域Ａにおけるベルト１１１の端部が、ベルト１１２に接合される。
【図面の簡単な説明】
【００７１】
【図１】本発明の実施の形態に係る物干し器具の斜視図である。
【図２】図１に示す領域Ａ付近の拡大図である。
【図３】図２に示す領域Ｂ付近の拡大図である。
【図４】物干し器具にハンガーを掛けた状態を示す図である。
【図５】物干し器具にハンガーを掛けた状態を示す図である。
【図６】物干し器具に洗濯物を直接掛けた状態を示す図である。
【図７】本発明の実施の形態の物干し器具の変形例を示す斜視図である。
【図８】本発明の実施の形態の物干し器具の変形例を示す斜視図である。
【図９】本発明の実施の形態の物干し器具の変形例を示す斜視図である。
【符号の説明】
【００７２】
１  物干し器具
１１  ベルト部
１２  掛け具
１３  ベルト調節具
１１１、１１２  ベルト
１１３  ハトメ
【図１】
2010142556.tif 000003
【図２】
2010142556.tif 000004
【図３】
2010142556.tif 000005
【図４】
2010142556.tif 000006
【図５】
2010142556.tif 000007
【図６】
2010142556.tif 000008
【図７】
2010142556.tif 000009
【図８】
2010142556.tif 000010
【図９】
2010142556.tif 000011